(57)【要約】【課題】  第三者によるキーロック解除を困難にする。【解決手段】  所定の番号の入力に応じて所定の機能の動作を禁止又は禁止の解除をすることが可能な電子機器であり、  入力部と、表示部と、前記所定の番号を登録する為のメモリと、前記メモリに登録されている所定の番号の一部の番号の入力指示を記表示部に表示させ、前記入力部から、前記メモリに登録されている所定の番号の一部と異なる番号が入力されたと判定すると、前記入力部から入力すべき、前記メモリに登録されている所定の番号の一部の番号の桁数を増加させると共に、１増加させた桁数の番号を入力するように指示する表示を前記表示部に表示させることを特徴とする。【選択図】      図３
2005341308.tif 000002
【特許請求の範囲】
【請求項１】
入力された所定の桁数の番号が、登録された番号の前記所定の桁数の番号と一致するか否かの照合により、所定の機能の動作を禁止又は禁止の解除を行なうことが可能な電子機器であり、
前記照合の番号を入力するための入力手段と、前記番号の照合が一致しないときに前記照合番号の桁数を変化させるよう制御する制御手段と、を有することを特徴とする電子機器。
【請求項２】
入力された所定の桁数の番号が、登録された番号の前記所定の桁数の番号と一致するか否かの照合により、所定の機能の動作を禁止又は禁止の解除を行なうことが可能な電子機器であり、
前記照合の番号を入力するための入力手段と、時刻の計時を行うタイマーと、該タイマーの計時する時刻に応じて、前記番号の照合が一致しないときに前記照合番号の桁数を変化させるよう制御する制御手段と、を有することを特徴とする電子機器。
【請求項３】
入力された所定の桁数の番号が、登録された番号の前記所定の桁数の番号と一致するか否かの照合により、所定の機能の動作を禁止又は禁止の解除を行なうことが可能な電子機器であり、
前記照合の番号を入力する為の入力手段と、前記照合の不一致回数に応じて、前記照合番号の桁数を変化させるよう制御する制御手段と、を有することを特徴とする電子機器。
【請求項４】
請求項１〜３の電子機器であり、前記制御手段は、照合に使用する登録番号を複数記憶し、前記入力手段から入力すべき番号の桁数を変化させる度に、照合に使用する登録番号を変化させることを特徴とする電子機器。
【請求項５】
入力された番号が登録された番号と一致するか否かにより所定の機能の動作を禁止又は禁止の解除をすることが可能な電子機器であり、
入力部と、表示部と、前記所定の番号を登録する為のメモリと、
前記メモリに登録されている所定の番号の一部の番号を一致不一致の対照とし、その桁数の入力指示を前記表示部に表示させ、前記入力部から、前記メモリに登録されている所定の番号の一部と異なる番号が入力されたと判定すると、前記入力部から入力すべき前記メモリに登録されている所定の番号の一部の番号の桁数を増加させると共に増加させた桁数の番号を入力するように指示する表示を前記表示部に表示させる制御手段と、を特徴とする電子機器。
【請求項６】
請求項５記載の電子機器であり、
更に、前記制御手段は、前記入力部から、前記メモリに登録されている所定の番号の一部と異なる番号が入力された回数に応じて、前記入力部から入力すべき前記メモリに登録されている所定の番号の一部の番号の桁数を増加させると共に増加させた桁数の番号を入力するように指示する表示を前記表示部に表示させることを特徴とする電子機器。
【請求項７】
請求項６記載の電子機器であり、
更に、前記制御部は、前記桁数の増加に制限をすることを特徴とする電子機器。
【発明の詳細な説明】
【技術分野】
【０００１】
本発明は、携帯電話等の電子機器に関するものである。
【背景技術】
【０００２】
従来の電子機器（携帯電話装置）には、キーロック機能が搭載されている。このキーロック機能では、携帯電話をキーロック状態にさせ、所定のキーの入力を受け付けない状態にすることができる。又、ユーザが所定の番号を入力することにより、キーロックを解除できる。
【０００３】
又、特許文献１には、遠隔操作により携帯電話装置をキーロック状態にする技術が記載されている。
【特許文献１】特開平６−１２５３０５号公報
【発明の開示】
【発明が解決しようとする課題】
【０００４】
このように、従来の電子機器では所定の番号を入力することによりキーロック状態とすることができるが、ユーザが携帯電話を紛失した際に、第三者にキーロック解除されることを確実に回避することは難しい、というのも、第三者がキーロックを解除する為に番号入力を複数回行なうと、キーロック解除される可能性があるからである。
【０００５】
一方、特許文献１に記載の技術のように、遠隔操作により携帯電話をキーロックする技術が考案されているが、外部から遠隔操作によりキーロックしようとする際に、携帯電話の電源がオフとなっていれば遠隔操作を行うことができない。
【課題を解決するための手段】
【０００６】
本発明はこのような課題を解決する為のものであり、請求項１記載の電子機器は、入力された所定の桁数の番号が、登録された番号の前記所定の桁数の番号と一致するか否かの照合により、所定の機能の動作を禁止又は禁止の解除を行なうことが可能な電子機器であり、前記照合の番号を入力するための入力手段と、前記番号の照合が一致しないときに前記照合番号の桁数を変化させるよう制御する制御手段と、を有することを特徴とする。
請求項２記載の電子機器は、入力された所定の桁数の番号が、登録された番号の前記所定の桁数の番号と一致するか否かの照合により、所定の機能の動作を禁止又は禁止の解除を行なうことが可能な電子機器であり、前記照合の番号を入力するための入力手段と、時刻の計時を行うタイマーと、該タイマーの計時する時刻に応じて、前記番号の照合が一致しないときに前記照合番号の桁数を変化させるよう制御する制御手段と、を有することを特徴とする。
請求項３記載の電子機器は、入力された所定の桁数の番号が、登録された番号の前記所定の桁数の番号と一致するか否かの照合により、所定の機能の動作を禁止又は禁止の解除を行なうことが可能な電子機器であり、前記照合の番号を入力する為の入力手段と、前記照合の不一致回数に応じて、前記照合番号の桁数を変化させるよう制御する制御手段と、を有することを特徴とする。
請求項４記載の電子機器は、請求項１〜３の電子機器であり、前記制御手段は、照合に使用する登録番号を複数記憶し、前記入力手段から入力すべき番号の桁数を変化させる度に、照合に使用する登録番号を変化させることを特徴とする。
請求項５記載の電子機器は、入力された番号が登録された番号と一致するか否かにより所定の機能の動作を禁止又は禁止の解除をすることが可能な電子機器であり、入力部と、表示部と、前記所定の番号を登録する為のメモリと、前記メモリに登録されている所定の番号の一部の番号を一致不一致の対照とし、その桁数の入力指示を前記表示部に表示させ、前記入力部から、前記メモリに登録されている所定の番号の一部と異なる番号が入力されたと判定すると、前記入力部から入力すべき前記メモリに登録されている所定の番号の一部の番号の桁数を増加させると共に増加させた桁数の番号を入力するように指示する表示を前記表示部に表示させる制御手段と、を特徴とする。
請求項６記載の電子機器は、請求項５記載の電子機器であり、更に、前記制御手段は、前記入力部から、前記メモリに登録されている所定の番号の一部と異なる番号が入力された回数に応じて、前記入力部から入力すべき前記メモリに登録されている所定の番号の一部の番号の桁数を増加させると共に増加させた桁数の番号を入力するように指示する表示を前記表示部に表示させることを特徴とする。
請求項７記載の電子機器は、請求項６記載の電子機器であり、更に、前記制御部は、前記桁数の増加に制限をすることを特徴とする。
【発明の効果】
【０００７】
本発明によれば、まず、予め登録されているキーロックナンバーの一部を入力するように表示部に表示させ、ユーザが所定回数入力に失敗すれば、入力すべきキーロックナンバーの桁数を増やしていくものである為、第三者が適当にキーロックを入力すればするほど、入力すべきキーロックナンバーの桁数が徐々に増加していき、第三者によるキーロックの解除を困難にすることが可能である。
【０００８】
又、電子機器の真の使用者がキーロックを解除する際には、すくないキーロック番号の入力だけで済む為、真の使用者にとって使い勝手の良い電子機器である。
【発明を実施するための最良の形態】
【０００９】
次に、本発明の一実施形態に係る携帯電話装置について、図面を参照して説明する。
【００１０】
図１及び図２は、本発明を適用してなる実施例装置（折畳式携帯電話装置）の斜視図である。
【００１１】
図１において、携帯電話装置１０は、ディスプレイ４２を有する第１の筐体１１０と、入力部４４と着信ランプ５７を有する第２の筐体１２０とが、ヒンジ部３００を介して接続されており、図中矢印方向に開閉可能である。
【００１２】
又、第２の筐体１２０には、側面キー５８が搭載されており、前記側面キー５８は、例えばマナーモード（着信時に着信音を出力せずにバイブレータで着信を報知するモード）のオン、オフを切り替える為のキーである。尚、前記側面キー５８の機能はこのマナーモードに限定されず、他の機能でもよく、又、側面キー５８は複数あっても良い。
【００１３】
図２は、図１に示す携帯電話装置１０の背面から見た斜視図であり、第２筐体１２０にアンテナ２と着信ランプ５７が搭載されている。
【００１４】
図３に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。この通信部１２により、携帯電話装置１０は、他の電子機器（例えば、携帯電話装置など）と通信（通話）することができるとともに、電子メールの送受信が可能となり、さらにはインターネットに接続することも可能となる。
【００１５】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１６】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１７】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１８】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１９】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２０】
また、通信部１２、ベースバンド部１４及び切替回路２２には、制御回路（制御手段）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。
制御回路３６は、ＲＯＭ（Ｒｅａｄ  Ｏｎｌｙ  Ｍｅｍｏｒｙ）３８と接続されており、ＲＯＭ３８に格納されているシステムプログラムに基づき各部を制御する。
【００２１】
また、制御回路３６は、ＲＡＭ（Ｒａｎｄｕｍ  Ａｃｃｅｓｓ  Ｍｅｍｏｒｙ）４０と接続されている。このＲＡＭ４０には、キーロックを解除する為の所定の桁数の番号（例えば、７桁の１２３４５６７）と、登録されている番号と異なる番号が入力された回数をカウントする為のエラーフラグｎ（ｎは整数）、キーロックを解除する為に必要な番号の桁数である桁数フラグｍ（ｍは整数）を格納する。
【００２２】
また、制御回路３６には、液晶のディスプレイ４２が接続されている。このディスプレイ４２には、現在の時刻、電話番号、電子メールの内容、インターネットによりダウンロードされたサイト画像、押下されたキーの機能名の表示等の所定の情報が表示される。
【００２３】
また、制御回路３６には、入力部４４が接続されている。この入力部４４は、電話番号等の入力を行うテンキー４８と、通話の開始を操作する通話キー５０と、通話の終了を操作する切キー５２と、電子メール機能やインターネット機能などの各種機能の設定を行う機能キー５４と、を有している。
【００２４】
バイブレータ５６は、振動により着信を報知する為のバイブレータである。
【００２５】
着信ランプ５７は、着信時に、着信を報知する為に点灯或いは点滅する。
【００２６】
更に、開閉検出部５５を有しており、前記開閉検出部５５は、筐体の開閉を検出する。
【００２７】
次に、本実施形態に係る携帯電話装置１０の作用について、図４に示すフローチャートに基づいて説明する。
【００２８】
始めに、本実施例装置の動作の概容を説明すると、本実施例装置では、予め７桁のロックナンバーを登録しておき、キーロックを解除する際には、まず始めに４桁のロックナンバーの入力指示表示を行い、ユーザが３回間違ったロックナンバーを入力すると、ロックナンバーの入力桁数を１増加させる。即ち、表示部には５桁のロックナンバーの入力指示表示を行なうこととなる。その後、ユーザがロックナンバーの入力を間違える度にロックナンバーの入力桁数を１増加させ続け、最終的に７桁のロックナンバーの入力指示表示を行なう。
【００２９】
次に動作について詳細に説明する。
【００３０】
先ず始めに、ユーザはロックナンバーの登録操作を行う。具体的には、図４のＳ１ステップにおいて、制御回路３６は、入力部４４からロックナンバーの登録開始指示操作があると判定すると、Ｓ２ステップへ処理を進める。
Ｓ２ステップでは、制御回路３６は、入力部４４のテンキー４８から７桁のロックナンバー（例えば、１２３４５６７）が入力されたと判定すると、Ｓ３ステップへ処理を進める。
Ｓ３ステップでは、制御回路３６は、前記Ｓ２ステップで入力されたロックナンバーをＲＡＭ４０に格納し、登録処理を終了する。
このようにして、７桁のロックナンバーの登録処理が終了すると共に、電子機器がキーロック状態、即ち、テンキー４８からのロックナンバー以外のキー入力は受け付けない状態、となる。
続いて、ユーザがキーロックを解除するときの動作について説明する。
図５のフロー図のＳ１１ステップにおいて、制御回路３６は、ディスプレイ４２に４桁のロックナンバーを入力するように指示表示させる。
続くＳ１２ステップでは、制御回路３６は、テンキー４８からロックナンバーが入力されたと判定するとＳ１３ステップへ処理を進め、そうでなければＳ１１ステップへ処理を戻す。
Ｓ１３ステップでは、制御回路３６は、前記Ｓ１２ステップで入力されたロックナンバーが予め登録されている７桁ロックナンバー（例えば１２３４５６７）のうち、上４桁（例えば１２３４）と同一であると判定すると、所定のロックナンバーが入力されたと判定し、Ｓ１４ステップへ処理を進める。
Ｓ１４ステップでは、制御回路３６は、キーロック状態を解除する。即ち、ロックナンバーの入力以外のキー操作の受付を可能な状態とする。
Ｓ１５ステップでは、制御回路３６は、ＲＡＭ４０に格納されているエラーフラグｎを１インクリメントし、Ｓ１６ステップへ処理を進める。
Ｓ１６ステップでは、制御回路３６は、ＲＡＭ４０に格納されているエラーフラグｎが３であると判定するとＳ１７ステップへ処理を進め、そうでなければＳ１１ステップへ処理を戻す。
Ｓ１７ステップでは、制御回路３６は、桁数フラグｍを１インクリメントし、Ｓ１８ステップへ処理を進める。
Ｓ１８ステップでは、制御回路３６は、桁数フラグｍの値の桁数のロックナンバー入力指示表示を行うよう、ディスプレイ４２を制御する。即ち、ディスプレイ４２には、５桁のロックナンバーを入力するよう指示する表示を行わせる。
Ｓ１９ステップでは、制御回路３６は、テンキー４８からロックナンバーの入力があると判定するとＳ２０ステップへ処理を進め、そうでなければＳ１８ステップへ処理を戻す。
Ｓ２０ステップでは、制御回路３６は、前記Ｓ１９ステップで入力されたロックナンバーが予め登録されている７桁ロックナンバー（例えば１２３４５６７）のうち、ＲＡＭ４０に格納されている上ｍ桁、例えば上５桁（例えば１２３４５）と同一であると判定すると、所定のロックナンバーが入力されたと判定し、Ｓ２１ステップへ処理を進め、一方、そうでなければＳ２２ステップへ処理を進める。
【００３１】
Ｓ２１ステップでは、制御回路３６は、前記Ｓ１４ステップと同様に、キーロック解除の処理を行なう。
【００３２】
Ｓ２２ステップでは、制御回路３６は、ＲＡＭ４０に格納されている桁数フラグｍが７であると判定するとＳ２３ステップへ処理を進め、そうでなければＳ２４ステップへ処理を進める。
【００３３】
Ｓ２３ステップでは、制御回路３６は、ディスプレイ４２に、７桁のロックナンバーを入力するよう指示する表示を行わせ、Ｓ１９ステップへ処理を戻す。
【００３４】
Ｓ２４ステップでは、制御回路３６は、ＲＡＭ４０に格納されている桁数フラグｍを１インクリメントし、Ｓ２５ステップへ処理を進める。
【００３５】
Ｓ２５ステップでは、制御回路３６は、ディスプレイ４２に、ＲＡＭ４０に格納されている桁数フラグｍの桁数のロックナンバーを入力する指示表示をさせる。即ち、ディスプレイ４２には、登録されている７桁のロックナンバー（例えば１２３４５６７）のうち、上ｍ桁（例えば、ｍが６の場合には１２３４５６）のロックナンバーを入力するよう指示表示させる。その後、制御回路３６は、Ｓ１９ステップへ処理を戻す。
【００３６】
尚、本実施例では、予め７桁のロックナンバーを登録しておき、はじめに４桁のロックナンバーを入力するよう指示表示する構成としたが、予め登録するロックナンバー、はじめに入力すべきロックナンバー、桁数を上げて表示するまでのロックナンバーの入力間違いの回数等は、他の数値に設定しても良い。
【００３７】
又、入力すべき番号は、予め設定した番号の一部であれば、下数桁の番号でも、上数桁の番号でも、初めから何桁目〜何桁目までの番号（例えば、入力すべき番号の２桁目〜５桁目）でもよいし、タイマーを設け、該タイマーが所定の時間を計時する度に入力すべき番号の桁数を変える構成でも良い。
【００３８】
更に、所定の機能のオン、オフを行なう為の所定の番号を複数予め登録しておき、番号を入力する度に入力すべき番号の桁数を変える構成としても良い。
【００３９】
このような構成とした場合でも、第三者による不正な電子機器の使用を回避することが可能である。
【００４０】
又、本実施例では、不一致のときに桁数を増加させたが、桁数を減少させても良い。
【００４１】
又、本実施例では、キーロックの暗証番号であったが、他の機能における暗証番号についても適用することができる。
【００４２】
又、本実施例では、入力桁数を表示していたが、この表示は必ずしも必要ではなく、番号照合の桁数を変化させるのみでも良い。これにより更に第三者による不正使用を回避することが可能である。
【産業上の利用可能性】
【００４３】
本発明は、無線回線に接続された携帯電話装置、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等にも利用することができる。
【図面の簡単な説明】
【００４４】
【図１】本発明を適用してなる実施例装置の斜視図である。
【図２】本実施例装置の斜視図である。
【図３】本実施例装置のブロック図である。
【図４】本実施例装置のフロー図である。
【図５】本実施例装置のフロー図である。
【符号の説明】
【００４５】
３６  制御回路
４０  ＲＡＭ
４２  ディスプレイ
４４  入力部
４８  テンキー
５０  通話キー
５２  切キー
【図１】
2005341308.tif 000003
【図２】
2005341308.tif 000004
【図３】
2005341308.tif 000005
【図４】
2005341308.tif 000006
【図５】
2005341308.tif 000007